(57)【要約】      （修正有）【課題】挿入の方向に沿ったプリント配線回路用基板にマウントするように構成され、ハウジング本体を具備するコネクタハウジングを有する電気カードエッジコネクタを提供する。【解決手段】カードエッジコネクタは、ハウジング本体を有するハウジング、およびハウジング本体によって伴なわれる複数の電気コンタクトを有する。前記ハウジングは、前記ハウジング本体から外方に延びるマウンティング耳部が欠けている。更には、前記ハウジングは、カードエッジコネクタがマウントされる補完的回路基盤を受けるように構成され、対向するハウジングサイド壁によって伴なわれる対向するマウンティングガイドを有する。【選択図】図２Ａ
0003174375.tif 000002
【実用新案登録請求の範囲】
【請求項１】
カードエッジコネクタの挿入の方向に沿った第１のプリント配線回路用基板にマウントされるように構成されたカードエッジコネクタであって、
前記カードエッジコネクタは下記を有する：
コネクタハウジングであって、第１および第２のサイド壁を画定し、第１および第２のサイド壁間で配列される複数の電気コンタクトを伴なうハウジング本体を有し、前記電気コンタクトは、それぞれの結合位置で第１のプリント配線回路用基板と接触するように構成されたそれぞれのマウンティング端、および、電気コネクタが第２のプリント配線回路用基板と結合するときに第２のプリント配線回路用基板に電気的に接続されるように構成された対向したそれぞれの結合する端、を画定し、前記電気コンタクトは、第１と第２列において配列され、第１および第２列のマウンティング端間のギャップを画定し、そのギャップは、第１のプリント配線回路用基板の厚さ未満であり、電気コネクタが第１のプリント配線回路用基板にマウントされるときに、前記電気コンタクトが第１のプリント配線回路用基板に跨がるようなものであるコネクタハウジング；
および、それぞれ、少なくとも１つの第１および第２のサイド壁の少なくとも一方によって伴なわれる少なくとも１つのマウンティングガイドであって、第１のプリント配線回路用基板の一側を摺動可能に受けるように構成された少なくとも１つのマウンティングガイドが前記カードエッジコネクタとして、挿入の方向に沿った第１のプリント配線回路用基板にマウントされるマウンティングガイド。
【請求項２】
前記電気コネクタが第２のプリント配線回路用基板と結合するとともに、第２のプリント配線回路用基板が電気コネクタで誤って調整されるときに、生成される力の少なくとも１つの部分が、伝達され、結合位置から間隔をおいて配置された位置でのプリント配線回路用基板の受ける側へのコネクタハウジングを有する請求項１記載のカードエッジコネクタ。
【請求項３】
少なくとも１つのマウンティングガイドは、カードエッジコネクタが第１のプリント配線回路用基板にマウントされるとともに、第１のプリント配線回路用基板を受けるチャネルを有する請求項１記載のカードエッジコネクタ。
【請求項４】
前記電気コンタクトの第１および第２列のマウンティング端は、チャネルを画定する上部で、より低い内表面に関して内方に間隔を置かれる請求項３記載のカードエッジコネクタ。
【請求項５】
前記第１のプリント配線回路用基板は、厚さをその間に画定する対向する上部で、より低い表面を画定し、さらに、少なくとも１つのチャネルは厚さとほぼ等しい深さとを画定する請求項１記載のカードエッジコネクタ。
【請求項６】
少なくとも１つのマウンティングガイドは、第１のサイド壁によって伴なわれ、さらに前記カードエッジコネクタが第１のプリント配線回路用基板にマウントされるときに、第１のプリント配線回路用基板の第１の側を受けるように構成され、前記カードエッジコネクタは、さらに第２のサイド壁によって伴なわれる第２のマウンティングを有し、少なくとも１つのマウンティングガイドは、ガイドマウンティングガイドをさらに有そのカードエッジコネクタが第１のプリント回路基板にマウントされるときに、第１のプリント配線回路用基板の第２の側を受けるように構成される第１のマウンティングガイドである、請求項１記載のカードエッジコネクタ。  
【請求項７】
第１および第２のマウンティングガイドは、  第１にそれぞれ、また、カードエッジコネクタが第１のプリント配線回路用基板にマウントされるとともに、受ける第２のチャネルは第１のプリント配線回路用基板に、第１および第２側にそれぞれ対向した請求項記載のカードエッジコネクタ。
【請求項８】
ハウジング本体は、第１および第２チャネル間の第１の幅を画定し、  第１のプリント配線回路用基板は、第１と第２側の間の第２の幅を画定する、  また、  第１の幅は第２の幅とほぼ等しい請求項７記載のカードエッジコネクタ。
【請求項９】
チャネル間にさらに延びる直線が、前記電気コンタクトの少なくとも１つと交差する請求項７記載のカードエッジコネクタ。
【請求項１０】
チャネルの各々は、コネクタハウジングの上部で、より低い端に関してほぼ対称である請求項７記載のカードエッジコネクタ。
【請求項１１】
複数の前記電気コンタクトは、第１および第２のサイド壁間で配置される請求項１記載のカードエッジコネクタ。
【請求項１２】
複数の前記電気コンタクトは電気信号コンタクトに複数を有し、前記電力コンタクトに複数を有する請求項１記載のカードエッジコネクタ。
【請求項１３】
前記電気信号は各々と連絡をとり、電力コンタクトのそれ未満の厚さを有する請求項１２記載のカードエッジコネクタ。
【請求項１４】
複数の前記電気コンタクト、複数電力コンタクトを有し、かつ１つ電気信号コンタクトが欠けている請求項１記載のカードエッジコネクタ。
【請求項１５】
カードエッジコネクタの挿入方向に沿った第１のプリント配線回路用基板にマウントするように構成されたカードエッジコネクタであって、
前記カードエッジコネクタは、下記を有する：
第１および第２のサイド壁を画定し、  第１にそれぞれ、そして第１のプリント配線回路用基板のリーディングエッジを受ける開放端がある第２のチャネル、ように、第１のプリント配線回路用基板と結合する、  第１のサイド壁がそれぞれの第１および第２のチャネル。
の第１のプリント配線回路用基板の対向側面を捕らえるそのようなもの。
【請求項１６】
そこでは第１のプリント配線回路用基板は、厚さをその間に定義する対向した上部で、より低い表面を画定し、また、少なくとも１つのチャネルは厚さとほぼ等しい深さを画定する請求項１５記載のカードエッジコネクタ。
【請求項１７】
複数の前記電気コンタクトは電気信号コンタクトに複数を有し、電力コンタクトに複数を有する請求項１５記載のカードエッジコネクタ。
【請求項１８】
複数の前記電気コンタクト、複数の電力コンタクト、また１つの電気信号コンタクトが欠けている請求項１５記載のカードエッジコネクタ。
【請求項１９】
プリント配線回路用基板にカードエッジコネクタをマウントする方法であって：
次のもののステップを有する方法：
リーディングエッジ、対向側面、および電気コンタクトパッドを有する第１のプリント配線回路用基板の使用を提供または教示すること；
１）ハウジング本体、第１および第２のサイド壁を画定するハウジング本体、および、２）を有するコネクタハウジングを有する電気コネクタの提供は、第１および第２のサイド壁間で配列される複数の電気コンタクトを伴ない、第１のプリント配線回路用基板に跨るように構成される突起に対向した、電気コンタクトのそれぞれのマウンティング端部、および物理的に電気コンタクトパッドのそれぞれのもので第１のプリント配線回路用基板に取り付けられており、
さらに電気コネクタが第２のプリント配線回路用基板に結合するときに、第２のプリント配線回路用基板に電気的に接続されるように構成され、対向して結合する端部；
および第１および第２のチャネルに第１のプリント配線回路用基板を挿入するステップを教示すること。
【請求項２０】
結合位置での電気コンタクトパッドのそれぞれのものへの各々の複数の電気コンタクトを接続するステップを教えること、そのようなもの、力の少なくとも１つの部分、それは生成される、電気コネクタが第２のプリント配線回路用基板を連れ添うとともに、第２のプリント配線回路用基板が電気コネクタで誤って調整される場合、位置でのコネクタハウジングから挿入されたプリント配線回路用基板まで伝達される、結合位置から一定間隔で配置されたとしてさらに有する、請求項１９記載の方法。
【考案の詳細な説明】
【技術分野】
【０００１】
電気コネクタ組立体は、一般に電気コネクタによって一緒に接続される１つまたはそれ以上の回路基板上の回路およびコンポーネントを有する。
【０００２】
電気コネクタ組立体における電気コンポーネントの例は、ドータボード、マザーボード、バックプレーンボード、中央平面ボード、または同種のものを有することができる。電気コネクタは、電気コンポーネント間のインターフェースを提供し、さらに電気通信データ信号および／または電力用の電気導通通路を供給する。
【背景技術】
【０００３】
図１を参照して、例えば、一例の従来の電気組立体２０は、第１の回路基板２４と第２の回路基板２６との間を接続しているカードエッジコネクタ２２を有する。カードエッジコネクタ２２は、第１のプリント配線回路用基板２４のエッジのトレースと第２のプリント配線回路用基板２６のエッジのトレースとの間の電気導通通路を備える振分けマウントスタイルのカードエッジコネクタとして例証され、これは第１のプリント配線回路用基板２４を備えたコプラナであるように例証される。そのような配位は、１Ｕラックマウントサーバのようなエンクロージャ内に電気組立体用に好適であることができる。  カードエッジコネクタ２２は、複数の電気コンタクト３０を伴なうハウジング本体２９を有するコネクタハウジング２８を有し、それは電気信号コンタクト３２と電力コンタクト３４とを有することができる。
【０００４】
カードエッジコネクタ２２は、第１のプリント配線回路用基板２４のエッジを受けるマウンティングインターフェース３８と、第２のプリント配線回路用基板２６を受ける結合するインターフェース３６とを画定する。第１のプリント配線回路用基板２４は、第１のプリント配線回路用基板２４がカードエッジコネクタ２２に結合されるときに、カードエッジコネクタ２２の電気コンタクト３０に接続される複数の電気コンタクトパッド４０を有する。その後、電気コンタクト３０および電気コンタクトパッド４０は、カードエッジコネクタ２２の電気コンタクト３０と第１のプリント配線回路用基板２４との間の恒久の電気接続を確立するために典型的にはんだ接合される。
【０００５】
第２のプリント配線回路用基板２６の電気コンタクトパッド４２が、電気コンタクト３０とコンタクトされるように、第２のプリント配線回路用基板２６は、エッジカードコネクタ２２の結合するインターフェース３８内に挿入することができ、それによって第１のプリント配線回路用基板２４とカードエッジコネクタの電気コンタクト３０とのトレース間の電気接続を確立する。理解すべきことは、カードエッジコネクタ２２を、電気通信において第１および第２の回路基板２６を配置するように、第１および第２の回路基板２４および２６に電気的に接続することができる。第２のプリント配線回路用基板２６は、カードエッジコネクタ２２の結合するインターフェース３８から取り除いて、結合するインターフェース３８に再挿入することができ、あるいは、他の回路基板は望ましくは結合するインターフェース３８内に挿入することができる。この点では、第１のプリント配線回路用基板２４は、ホストボードと呼ぶことができ、さらに、第２のプリント配線回路用基板２６は、ホストボードとの取外し可能な電気通信に採用することができるエッジカードと呼ぶことができる。
【０００６】
カードエッジコネクタ２２は、ハウジング本体２９の対向側面から外に延び、さらに、電気コンタクト３０が電気コンタクト４０に接して置かれるときに、第１のプリント配線回路用基板２４上の対応する開口と整列して置かれる開口を与える１対のマウンティング耳部４４を有する。整列した開口は、カードエッジコネクタ２２と第１のプリント配線回路用基板２４との間の安全な物理的接続を提供するように、ねじ、ナット、およびその他同種のもののようなハードウェア４６を受けるように構成される。したがって、電気コンタクト３０と電気コンタクトパッド４０との間の接続によって吸収される第２のプリント配線回路用基板からのカードエッジコネクタ２２に加えられた応力は、第２のプリント配線回路用基板２６がカードエッジコネクタ２２に結合されるときに、カードエッジコネクタ２２と第１のプリント配線回路用基板２４との間の確実な物理的接続に少なくとも部分的に吸収される。
【０００７】
残念ながら、マウンティング耳部４４は、第１のプリント配線回路用基板２４上の価値のある領域を占有する。
【考案の概要】
【０００８】
１つの実施例にしたがって、カードエッジコネクタは、挿入の方向に沿った第１のプリント配線回路用基板にマウントするように構成される。カードエッジコネクタは、ハウジング本体を具備するコネクタハウジングを有する。ハウジング本体は、第１および第２のサイド壁を画定する。コネクタハウジングは、第１および第２のサイド壁の間に配列される複数の電気コンタクトを伴なう。
【０００９】
この電気コンタクトは、電気的にそれぞれの結合位置で第１のプリント配線回路用基板に接続されるように構成されたそれぞれの取付端部、および、電気コネクタが第２のプリント配線回路用基板に結合するときに、第２のプリント配線回路用基板に電気的に接続されるように構成された、対向するそれぞれの結合する端部を画定する。カードエッジコネクタは、さらに、それぞれ、第１および第２のサイド壁の少なくとも１つによって伴なわれる少なくとも１つのマウンティングガイドを有する。少なくとも１つのマウンティングガイドは、カードエッジコネクタが、挿入の方向に沿った第１のプリント配線回路用基板にマウントされるとともに、第１のプリント配線回路用基板の側を摺動可能に受けるように構成することができる。電気コネクタは第２のプリント配線回路用基板と結合するとともに、第２のプリント配線回路用基板が電気コネクタで誤って調整されるときには、生成される力の少なくとも一部分が、結合位置から間隔をもって配置された位置で、コネクタハウジングからプリント配線回路用基板の受ける側まで伝えられる。
【００１０】
先の概要は、付随した図面と共に読まれたときに、この出願の一実施例の以下の詳述と同様に、一層よく理解されよう。この出願の柔軟な固着キールおよび関連の器具を例証する目的のために、図面において一実施例が示される。しかしながら、この出願は、図示された正確な配置や手段に限定されないことが理解されるに違いない。図面の説明は以下のとおりである：
【図面の簡単な説明】
【００１１】
【図１】先行技術にしたがって１対の回路基板間で接続している跨ぐマウントカードエッジコネクタを有する電気コネクタア組立体の斜視図；
【図２Ａ】第１のプリント配線回路用基板、第２のプリント配線回路用基板、および、第１および第２のプリント配線回路用基板間で接続している電気コネクタを有する１つの実施例にしたがって構築された電気コネクタア組立体の斜視図；
【図２Ｂ】図２Ａにおいて例証されるような電気コネクタ組立体の分解斜視図；
【図３】図２において例証された電気コネクタの最下段正面斜視図；
【図４】図２において例証された電気コネクタの頂部後面斜視図；
【図５】図２において例証された電気コネクタの正面立面図；
【図６】図２において例証された電気コネクタの後部立面図；
【図７】図２において例証された電気コネクタの平面図；
【図８】図２において例証された電気コネクタの底面図；
【図９Ａ】図２において例証された電気コネクタの側面図；
【図９Ｂ】図２において例証された電気コネクタの側面図；
【図１０Ａ】図２Ａにおいて例証された電気コネクタの第１のサイド壁の斜視図；
【図１０Ｂ】図１０Ａにおいて例証された第１のサイド壁についての端面図視；
【図１０Ｃ】図２Ａにおいて例証された電気コネクタの第２のサイド壁の斜視図；
【図１０Ｄ】図１０Ｃにおいて例証された第２のサイド壁についての端面図視；
【図１１Ａ】電気コネクタの正面の斜視図が構築した底部である図４において例証される電気コネクタに類似
【図１１Ｂ】図１１Ａにおいて例証された電気コネクタの頂面後部斜視図；
【図１１Ｃ】図１１において例証された電気コネクタの平面図；
【図１１Ｄ】図１０において例証された電気コネクタの底面図
【考案を実施するための形態】
【００１２】
図２Ａ−Ｂを参照して、電気コネクタ組立体５０は、それぞれ第２のプリント配線回路用基板５４を備えた電気通信に第１のプリント配線回路用基板５２を採用するように、第１のプリント配線回路用基板（ＰＣＢ）５２のような第１の基板、および第２のプリント配線回路用基板（ＰＣＢ）５４のような第２の基板、および、第１および第２の基板５２および５４の間で電気的に接続されるように構成された電気コネクタ５６を有する。電気コネクタ５６は、カードエッジコネクタとして例証され、より詳細に下に記述されるように１つの実施例にしたがって跨ぐマウントコネクタとして構成することができる。
【００１３】
電気コネクタ５６は、高温熱可塑性物のようなプラスチックを有する任意の適切な誘電材料で作ることができる誘電体、または電気的に絶縁性のコネクタハウジング５８を有する。このコネクタハウジング５８は、第１および第２の回路基板５２および５４上で補完的な電気トレースと係合するように構成された１つまたはそれ以上の電気コンタクト６０を伴なうハウジング本体５９をそれぞれ有している。特に、コネクタハウジング５８は、縦方向Ｌに沿って分離された、マウンティングインターフェース６２および結合するインターフェース６４を画定する。マウンティングインターフェース６２は、電気的、かつ物理的に、第１のプリント配線回路用基板５２に接続するように構成され、また、結合するインターフェース６４は、電気的かつ物理的に、第２のプリント配線回路用基板５４に接続するように構成される。電気コンタクト６０は、電気コネクタ５６が第１のプリント配線回路用基板５２にマウントされるときに、第１のプリント配線回路用基板５２に電気的に接続するようにマウンティングインターフェース６２と結合するインターフェース６４との間に延びることができ、電気コネクタ５６が第２のプリント配線回路用基板５４に結合するときに、第２のプリント配線回路用基板５４に接続する。１つの実施例にしたがって、マウンティングインターフェース６２は、電気コネクタ５６が第１のプリント配線回路用基板５２にマウントされるときに、それによって、電気コンタクト６０が第１のプリント配線回路用基板５２に跨るマウントインターフェースとし構成することができる。したがって、コネクタハウジング５８は、例証された実施例にしたがって跨るマウントカードエッジハウジングと呼ぶことができる。電気コネクタ５６は、カードエッジコネクタと呼ぶことができ、特に跨るマウントコネクタと呼ぶことができる。
【００１４】
今度は、図３−４を参照して、ハウジング本体５９は、縦方向Ｌに沿った前方エッジ部６６から一定間隔で配置された前方エッジ部６６および後方エッジ６８を画定する。前方エッジ部６６は、結合するインターフェース６４に近接して配置され、さらに後方エッジ６８は、マウンティングインターフェース６２に近接して配置される。ハウジング本体５９は、さらに、縦方向Ｌにほぼ垂直な横方向Ａにおいて延びる横方向に沿った第１のサイド壁７０から分離さられた第１のサイド壁７０および対向する第２のサイド壁７１を画定する。第１および第２のサイド壁７０および７１は、結合するインターフェース６４とマウンティングインターフェース６２の間に延びる。ハウジング本体５９は、横方向Ａに沿って細長く、さらに、電気コンタクト６０の個々のものは、横方向Ａに沿って間隔をもって配置される。ハウジング本体５９は、さらに上部エッジ７２、および縦方向Ｌおよび横方向Ａの両方にほぼ垂直である横断方向Ｔに沿った上部エッジ７２から間隔をもって配置される対向する下部エッジ７４を画定する。縦方向および横方向のＬおよびＡは、それぞれ、水平に延び、さらに、電気コネクタ５６の方位が操作中に変わり得ることがあることは認識されるべきであるが、縦方向Ｔは、例証されるように、垂直に延びる。
【００１５】
図２Ａ−Ｂにおいて例証されるように、電気コネクタ５５の第１のプリント配線回路用基板５２、１対の対向側面５１および５３の頂面９６および対向する底部表面９８にマウントするときに、第１のプリント配線回路用基板５２は、挿入の方向８７に関してリーディングエッジ９０を画定する。電気コネクタ５６が第１のプリント配線回路用基板５２にマウントされるときに、頂面９６は、横断方向Ｔに沿って底部頂面９８から間隔をもって配置される。さらに、サイド側５１および５３は、横方向Ａに沿って間隔をもって配置される。頂部および底部表面９６および９８は、長手方向および横方向によって画定された平面に沿ってほぼ、例えば平面であることができる。したがって、電気コネクタ５６に結合するときに、頂部および底部表面９６および９８は、横方向Ａおよび長手方向Ｌの両方に沿って延びることができる。第２のプリント配線回路用基板５４は、同様に電気コネクタ５６と結合するように挿入の方向に関してリーディングエッジ９１を画定する。
【００１６】
さらに図５において例証されるように、コネクタハウジング５８は、ハウジング本体５９によって画定されるチャンバ７６を有する。電気コンタクト６０は、その電気コンタクト６０がチャンバ７６内に少なくとも部分的に配置されるように、ハウジング５８によって伴なわれる。このチャンバ７６は、結合するインターフェース６４に対して開放することができ、電気コネクタ５６を第２のプリント配線回路用基板５４に対して結合するように、第２のプリント配線回路用基板５４を受けるように構成することができる。チャンバ７６は、開放され、またはマウンティングインターフェース６２に対しては閉じることができる。例えば、ハウジング本体５９は、マウンティングインターフェース６２で部分的にチャンバ７６を閉じる後部壁７８を有することができる。ハウジング本体５９は、後部壁７８を通って延びる複数の開口８０を画定することができ、それは、電気コンタクト６０が、開口８０のそれぞれのものを介して延びるようなものである。
【００１７】
電気コンタクト６０は、銅合金のような、望ましくは任意の適切な電気導電材料で作ることができる。電気コンタクト６０は、第１および第２の基板５２および５４の間の電気通信またはデータ信号を送信するために寸法取りされ、かつ構成される複数の電気信号コンタクト６１、さらに第１および第２の基板５２および５４の間で、ＤＣ、およびまたはＡＣ交流電源のような送信電力に寸法取りされ構成される複数の電力コンタクト６３を有することができる。したがって、電力コンタクト６３は、電気信号コンタクト６１より大きく、ＤＣおよび／または交流電源を支持するように、寸法取りすることができる。例えば、電力コンタクト６３は、電気信号コンタクト６１より大きな厚さ（例えば、１方、または横方向および縦方向の両方向に）を有することができる。図示された実施例にしたがって、電気コンタクト６０は、電気信号コンタクト６１が横方向に電力コンタクト６３に隣接して配置されるように配列することができる。例えば、電気信号コンタクト６１は、例証されるような第１のサイド壁７０のようなハウジング本体５９のサイド壁の１つに近傍に配置することができる。電気信号コンタクト６１の個々のものは、電気信号コンタクト６１が、第１のサイド壁７０から第２のサイド壁７１に向かって横方向に内部に配列されるように、横方向に間隔を置くことができる。電力コンタクト６３は、電気信号コンタクト６１に隣接するサイド壁に関して、サイド壁の対向する１つに隣接して配置することができる。例証された実施例にしたがって、電力コンタクト６３は、第２のサイド壁７１に隣接して、配置される。電力コンタクト６３の個々のものは、電力コンタクト６３が第１のサイド壁７０に向かって第２のサイド壁７１から内部に横方向に配列されるように、横方向に間隔を置くことができる。［００３３］  あるいは、図１１Ａ−Ｄにおいて例証されるように、電気コネクタ５６は、電気コンタクト６０が電気信号コンタクトを欠いていて、このように電力コンタクト６３だけを有しているように構築することができる。この電力コンタクトは、第１および第２のサイド壁７０および７１の間に配列することができる。したがって、ここではこの電気コンタクト６０に対する参照は、図１−９において例証されるように電気信号コンタクト６１および電力コンタクトの両方か、または、図１１Ａ−Ｄにおいて例証されるような電力コンタクト６３だけを有することができるかである。
【００１８】
図２Ａ−４および図７−８を参照して、コネクタハウジング５８は、ハウジング本体５９の上部、および下部端部７４および７２を介して横方向に延びる開口６５および６７の第１および第２の横方向の列のような開口の少なくとも１つの外側の列を有することができる。開口６５の第１列は、結合するインターフェース６４に近接して配置することができ、さらに開口６７の第２列は、マウンティングインターフェース６２に近接して配置することができる。
【００１９】
開口６５の第１列は、コネクタハウジング５８からの熱の散逸を促進するように電力コンタクト６３と整列することができる。電力が、電気コネクタ組立体５０の操作中に電力コンタクト６３に沿って送信されながら、熱が生成される。
【００２０】
電気コネクタ５８は、開口６７の第２列のそれぞれのもの内に延びて、電力コンタクト６３をラッチし、コネクタハウジング５８内に電力コンタクト６３を確実にすることにおいて補助するように構成されるタブ６９を有する。
【００２１】
電気信号コンタクト６１および電力コンタクト６３を有する電気コンタクト６０の各々は、それぞれのマウンティング端部８２、およびマウンティング端部８２から縦方向に間隔を置く対向する結合する端部８４を画定することができる。マウンティング端部８２は、電気コネクタ５６が第１のプリント配線回路用基板５２にマウントされるときに、第１のプリント配線回路用基板５２のコンタクトパッド８６に電気的に接続するように、効果的にマウンティングインターフェース６２と協働する。その結合する端部８４は、電気コネクタ５６が第２のプリント配線回路用基板５４にマウントされるときに、第２のプリント配線回路用基板５４の導体パッド８８に電気的に接続するように、効果的に結合するインターフェース６２と協働する。したがって、電気コネクタ５６が、第１および第２の回路基板５２および５４にそれぞれ取り付けられているときに、電気的に導通通路が、第１のプリント配線回路用基板５２における電気コンタクトパッド８６から、それぞれの電気コンタクト６０を介して、さらには、第２のプリント配線回路用基板５４のそれぞれの電気的にコンタクトパッド８８との間で確立することができる。第１および第２の回路基板５２および５４は、さらにそれぞれの電気コンタクトパッド８６および８８に電気的に接続される電気トレースを伴なう。
【００２２】
電気コンタクトパッド８６は、配置される。第１のプリント配線回路用基板５２のリーディングエッジ９０に近接して配置され、さらに電気コンタクトパッド８８は、第２のプリント配線回路用基板５４のリーディングエッジ９１に近接して配置される。電気コネクタ２２が第１のプリント配線回路用基板５２上にマウントされるときに、ハウジング本体５９のサイド壁７０は、第１のプリント配線回路用基板５２のリーディングエッジ９０に関してほぼ垂直の方向に延びるように、例証される。同様に、電気コネクタ２２が第２のプリント配線回路用基板５４に結合するときは、ハウジング本体５９のサイド壁７０は、第２のプリント配線回路用基板５４のリーディングエッジ９１に関してほぼ垂直の方向に延びるように、例証される。
【００２３】
その電気信号コンタクト６１および電気電力コンタクト６３を有する電気コンタクト６０の結合する端部８４は、例えばチャンバ７６のハウジング本体５９内に伴なわれることができ、第２のプリント配線回路用基板５４が、電気コネクタ５６と第２のプリント配線回路用基板５４とを結合するように結合するインターフェース６４のチャンバ７６内に挿入されるときに、第２のプリント配線回路用基板５４のリーディングエッジにまたがるように構成されるそれぞれ横方向に対向する突起（prong）を有することができる。電気信号コンタクト６１および電力コンタクト６３を有する電気コンタクト６０のマウンティング端部８２は、ハウジング本体５９の後部壁７８を通って延びることができる。
【００２４】
図４において例証されるように、それぞれのマウンティング端部８２は、それぞれギャップ９５をその間に画定する対向する突起９４を有することができ、さらに、電気コネクタ５６を第１のプリント配線回路用基板５２にマウントするときに、案内を提供することができるひだ付きの末端を表すことができる。
【００２５】
対向する突起９４は、上部および下部列のような、電気コネクタ５６が第１のプリント配線回路用基板にマウントされるときに、第１のプリント配線回路用基板に跨るように構成されており、第１および第２列内に配列することができる。
【００２６】
図２Ｂにおいて例証されるように、電気コネクタ５６が第１のプリント配線回路用基板５２に取り付けられているときに、対向する突起９４は、回路基板５２のリーディングエッジ９０に跨り、それはギャップ９５内に挿入される。
【００２７】
接触パッド８６は、頂面９６および／または第１のプリント配線回路用基板５２の最下段表面９８に配置され、電気的に、電気コンタクト６０の個々のものに接続するように寸法取りすることができるか、電気的に電気コンタクト６０の２つ以上に接続するために寸法取りすることができる。例えば、例証された実施例にしたがって、１つまたはそれ以上の導体パッド８６のすべてまで、電気的に、電気信号コンタクト６１の個々のものに接続するために、寸法取りすることができる。さらに、例証された実施例にしたがって、電気的に、電力コンタクト６３の個々のものに接続するように１つまたはそれ以上すべての導体パッド８６にまで、寸法取りすることができることは認識されるべきであるが、１つまたはそれ以上は、電気的に、電力コンタクト６３の２つ以上に接続するために、導体パッド８６のすべてにまで寸法取りすることができる。したがって、電気コネクタ５６が第１のプリント配線回路用基板５２に取り付けられているときに、電気コンタクト６０のうちのマウント端部８２は、第１のプリント配線回路用基板５２のうちの頂面９６および最下面９８をはさむことができ、さらには、電気コンタクト６０から電気にコンタクトパッド８６および第１のプリント配線回路用基板５２によって伴なわれるそれぞれの電気トレースまで、電気的に導通通路を確立することができる。
【００２８】
電気コネクタ５６は、電気コンタクト６０が、導体パッド８６と係合するまで、電気コネクタ５６のマウンティングインターフェース６２が回路基板５２のリーディングエッジ９０を受けるようなコネクタ５６および縦の挿入方向に沿った回路基板５２の少なくとも一方の上の相対的な縦の運動を与えることにより、第１のプリント配線回路用基板５２に取り付けることができる。その後、電気コンタクト６０は、恒久的に第１のプリント配線回路用基板５２を電気コネクタ５６に固定するように望まれるようにコンタクトパッド８６にはんだ接合することができる。この点では、第１のプリント配線回路用基板５２は、ホストボードと呼ぶことができる。
【００２９】
図４および６において例証されるように、コネクタハウジング５８は、マウンティング端部６２で信号コンタクト６１と電力コンタクト６３との間の横方向の位置で上部エッジ７２とより下部エッジ７４との間に横方向に延びる分極壁１０１の形で分極部材を有することができる。分極壁１０１は、ハウジング本体５９の横方向に中央の位置に関して位置オフセットでこのように配置される。第１のプリント配線回路用基板５２は、リーディングエッジ９０から縦に中へ延びて、分極壁１０１を受けるように寸法取りされるスロット１０９（図２Ｂを参照）を画定することができ、それによって、第１のプリント配線回路用基板５２が電気コネクタ５６に対する接続のために適切に方位付けすることを、保証する。特に、電気コネクタ５６が第１のプリント配線回路用基板５２にマウントされるときに、信号コンタクト６１と係合するように構成される電気パッド８６は、信号コンタクト６１と係合し、また、電気コネクタ５６が第１のプリント配線回路用基板５２にマウントされるときに、電力コンタクト６３を実際係合するように構成される電気パッド８６は、電力コンタクト６３と係合する。
【００３０】
さらに、分極壁１０１は、対向する上部および下部部分として例証されて、対向する外方部分１０３と、さらに、対向する外方部分１０３間に配置された中間部分１０５とを有することができる。
【００３１】
対向する外方部分１０３は、中間部分１０５より大きな横方向の厚さを有することができる。例えば、対向する外方部分１０３の横方向の厚さは、リーディングエッジ９０内に延びスロット１０９のそれより大きくなり得る。中間部分１０５の横方向の厚さは、中間部分１０５がスロット１０９内に受けられるように構成されるように、スロット１０９のそれとほぼ等しいか、またはそれより小さく寸法取りされる。中間部分１０５は、第１のプリント配線回路用基板５２は、コンタクトパッド８６および電気コンタクト６０の係合を容易にするように上部および下部部分１０３の間でほぼ補足することができるように第１のプリント配線回路用基板５２のそれと等しい横断寸法、または高さを画定することができる。
【００３２】
中間部分１０５は、電気コンタクト６０のマウンティング端部８２の突起９４間のギャップ９５と整列される。したがって、分極壁１０１の中間部分１０５は、電気コネクタ５６が第１のプリント配線回路用基板５２にマウントされるときに、電気コンタクト６０で第１のプリント配線回路用基板５２を適切に整列させる整列ガイドを提供する。この点では、第１のプリント配線回路用基板５２が、電気コネクタ５６の分極部材および整列ガイドを係合するように構成される補完的な分極部材および整列ガイドを有することは認識されるべきである。例証された実施例にしたがって、第１のプリント配線回路用基板５２の分極部材および整列ガイドは、リーディングエッジ９０内に縦に延びるスロット１０９によって提供される。しかしながら、電気コネクタ５６および第１のプリント配線回路用基板５２の両方の分極部材および整列ガイドは、二者択一で、もし望まれれば相互とは別に離間して配置される２つの別部材として提供することができる。
【００３３】
図２Ｂおよび３を再び参照して、電気コネクタ５６が第１のプリント配線回路用基板５２にマウントされる前、または後に、第２のプリント配線回路用基板５４のようなエッジカードは、除去可能に電気コネクタ５６と結合することができる。特に、電気コネクタ５６は、電気コンタクト６０がコンタクトパッド８８と係合するまで、電気コネクタ５６の結合するインターフェース６４が、縦の挿入方向に沿った第２のプリント配線回路用基板５４のリーディングエッジ９１を受けるように、この電気コネクタ５６および第２の回路基板５４の少なくとも一方において相対的な縦の運動を与えることによって、第２のプリント配線回路用基板５４に取り付けることができる。
【００３４】
コネクタハウジング５８は、結合する端部６４で信号コンタクト６１と電力コンタクト６３との間の横方向の位置で上部エッジ７２と下部エッジ７４との間の横方向に延びる分極壁１１５の形で、第２の分極部材を有することができる。この分極壁１１５は、このように、ハウジング本体５９の横方向中央位置に関して位置オフセットで配置される。第２のプリント配線回路用基板５４は、リーディングエッジ９１から中に延びて、分極壁１１５を受けるように寸法取りされるスロット１１１を画定することができ、それによって、第２のプリント配線回路用基板５４が電気コネクタ５６に対する接続のために適切に方位付けされることを、保証する。特に、電気コネクタ５６が第２のプリント配線回路用基板５４と結合するときは、電気パッド８８の選択したものは、信号コンタクト６１と係合することができ、さらに、電気パッド８８の選択したものは、電力コンタクト６３と係合することができる。
【００３５】
それは認識されるべきである。第２のプリント配線回路用基板５４を電気コネクタ５６に結合するときは、この第２のプリント配線回路用基板５４のリーディングエッジ９１とハウジング本体５９のチャンバ７６との間の角度または指向性の不良位置合せが、電気コンタクト６０に応力を加える適用するかもしれないときに、それは、次には電気コンタクト６０と第１のプリント配線回路用基板５２の電気パッド８６との間の半田接続に応力を加えるものである。例えば、第２のプリント配線回路用基板５４がチャンバ７６に挿入されるとともに、第２のプリント配線回路用基板５４がコネクタハウジング５８と誤って調整されるときに、挿入力は、電気コンタクト６０、およびしたがって第１のプリント配線回路用基板５２のコンタクトパッド８６に電気コンタクト６０を取り付ける半田接続に変換することができる。
【００３６】
したがって、上述されたように、従来の跨ぐマウントコネクタは、それは結合する力が第１のプリント配線回路用基板２４に関して移動に電気コネクタ２２にバイアスをかけるのを防ぐようにコネクタハウジング５８（図１を参照）に対する第１のプリント配線回路用基板２４を固定する１対のマウント耳部４４を有し、それは、電気コンタクト３２と第１のプリント配線回路用基板５２のコンタクトパッドとの間の半田接続の完全に影響するかもしれない。
【００３７】
しかしながら、マウンティング耳部４４は、第１のプリント配線回路用基板２４上の価値のある領域を占有する。
【００３８】
さらに今度は、図２Ａ−４および図６を参照して、コネクタハウジング５８が、図１に関して上述したタイプのマウンティング耳部が欠けていることができて、電気コネクタ５６が第２のプリント配線回路用基板５４に結合するとともに、第２のプリント配線回路用基板５４がハウジング本体５９で誤って調整されるときに、例えば、電気コンタクト６０によって経験された応力を制限するように構成することができることは認識される。したがって、第１のプリント配線回路用基板５２が、この第１のプリント配線回路用基板５２を電気コネクタ５６に固定するようにファスナを受けるように構成される開口が欠けていることがあり得ることは、認識されるべきである。１つの実施例にしたがって、電気信号コンタクト６１が電力コンタクト６３よりも薄いので、従来の跨ぐマウントコネクタの結合する応力は、さらに、第１のプリント配線回路用基板５２のうちの電力コンタクト６３と電気コンタクト８６との間の半田接続と比較して、電気信号コンタクト６１間の半田接続の完全性に影響する可能性がありそうである。電気コネクタ５６は、マウンティング耳部が欠けていることがあり得、同時に合格水準内に対する不良位置合せ応力を制限し得、それは、失敗する第１のプリント配線回路用基板５２のうちの電気コンタクト６０と電気コンタクト８６との間の半田接続を引き起こさないレベルである。
【００３９】
例証される実施例にしたがって、電気コネクタ５６のコネクタハウジング５８は、マウンティング耳部が欠けていて、その代り、電気コネクタ５６が、第１のプリント配線回路用基板５２にマウントされるときに、第１のプリント配線回路用基板５２を摺動できるように係合する１対のマウンティングガイド１１０のような少なくとも１つのマウンティングガイドを有している。マウンティングガイド１１０は、第１および第２のサイド壁７０および７１のような、それぞれ少なくとも１つのコネクタ本体５９のサイド壁によって、伴なわれることができる。第１および第２のマウンティングガイド１１０は、それぞれ第１および第２の横方向に対応するサイド壁７０および７１によって伴なわれる対向するたチャネル１１２および１１３によって画定することができる。例えば、第１および第２のサイド壁７０および７１は、横方向にそれぞれ、相互に対面する内表面１１４、および、それぞれの内表面１１４から離れて面する外表面１１６を画定する。１つの実施例にしたがって、一方、または、第１および第２のチャネル１１２および１１３の両方は、それぞれのサイド壁７０および７１によって画定され、内表面１１４および１１６内に横方向に外へ延びることができる。
【００４０】
したがって、今度は、図２Ａ−Ｂおよび１０Ａ−Ｄを参照して、サイド壁７０および７１のそれぞれは、第１または上部の内表面１２０、および横方向に対向する第２または上部の内表面１２０から横方向に間隔をおくより低い内表面１２２を画定することができる。上部および低部の内表面１２０および１２２は、それぞれの第１および第２のチャネル１１２および１１３の横方向上部および底部の境界線を画定することができる。サイド壁７０および７１のそれぞれは、さらに、上部と低部表面１２０と１２２との間で接続される第３の、または横方向表面１２４を画定することができきる。横方向面１２４は、それぞれの第１および第１のチャネル１１２および１１３の、横方向外側端のような第１の横方向端部を画定することができる。第１および第２チャネル１１２および１１３は、さらに第２の対向する横方向内側端部１２６または口を有し、これは、開口していて、第１のプリント配線回路用基板５２を受けるように構成されている。例証されるように、上部および低部の表面１２０および１２２は、相互にほぼ平行であることができ、または相互に関して角度をなしてオフセットすることができる。さらに、横方向側面１２４は、上部および低部表面１２０および１２２に垂直になり得るか、または望まれるような上部および低部内表面１２０および１２２に関してあらゆる角度も画定することができる。
【００４１】
上部の内表面１２０は、ハウジング本体５９の上部端７２から間隔をもって配置され、さらに、低部の内表面１２２は、ハウジング本体５９のより低い内表面７２から例えば、上部の内表面１２０が間隔をもって配置される距離とほぼ等しい距離、ハウジング本体５９の上部端７２から間隔をおいて、配置される。したがって、チャネル１１２および１１３のそれぞれは、ハウジング本体５９の上部および低部の端部７２および７４に関してほぼ対称的に間隔を置くことができる。
【００４２】
第１および第２のサイド壁７０および７１のそれぞれは、このように第１の横方向の外部、または上部の部分１２６であって、上部の内表面１２０を提供するそれぞれの横方向の内部表面を示しており、それを有することができ、第２の横方向の外部、または低部１２８であって、上部の内表面１２２を提供するそれぞれの横の内部表面を示しており、さらに横方向外側面１２４を画定する第３の横方向外側の部分１３０を示す。第１の横方向外方の部分１２６、第２の横方向外側の部分１２８、および第３横方向外方の部分１３０は、相互に、統合されることができ、それはチャネル１１２および１１３が、それぞれの第１および第２のサイド壁内に入り込むように、または、相互にチャネル１１２および１１３を画定するように個別になり得るか、または取り付けられる。
【００４３】
チャネル１１２および１１３は、横方向に相互に整列され、さらに電気コンタクトの突起９４間のギャップ９５と整列される。したがって、横方向に延びるラインのような、ギャップ９５を通して延びる直線は、さらにチャネル１１２および１１３内に延びることができる。さらに、横方向に延びるラインのような、チャネル１１２および１１３内に延びる直線は、電気コンタクトの第１および第２列の一方または両方の、電気コンタクト６０、例えば突起９４のすべてまでの少なくとも１つと交差することができる。例えば、１つの実施例にしたがって、電気コンタクト６０の上部および下部列の各々は、少なくともチャネル１１２および１１３を画定する、それぞれの上部および下部表面１２０および１２２によって画定される平面と交差するように、横断方向に沿って延びる。そうでなければ述べたが、チャネル１１２および１１３のうちの一方の上部の内表面１２０から、チャネル１１２および１１３の他方の上部の内表面１２０まで延びる直線は、電気コンタクト６０の第１列の電気コンタクト６０に、すべてまで、少なくとも１つと交差することができる。同様に、チャネル１１２および１１３のうちの１つのより低い内表面１２２から、チャネル１１２および１１３の他方のより低い内表面１２２まで延びる直線は、電気コンタクト６０の第２列の電気コンタクト６０の、すべてにまで、少なくともいくらか交差することができる。さらに、第１および第２のチャネル１１２および１１３は、中途部分１０５、または、電気的コネクタ５６の整列ガイド、と整列することができ、それは、第１のプリント配線回路用基板５２がチャネル１１２および１１３内に挿入されることができ、それは、第１のプリント配線回路用基板５２のリーディングエッジ９０をして、電気コンタクト６０のギャップ９５に挿入されるべきであるほどである。  チャネル１１２および１１３は、それぞれさらに１つの、縦方向に電気コネクタ５６を第１のプリント配線回路用基板５２にマウントするときには、挿入の方向８７に関してリーディング端を提供する長手方向に外側端部１３２を有することができる。チャネル１１２および１１３は、さらにそれぞれ、外側端部１３２の長手方向に対向して長手方向内側端１３４を有し、さらに挿入の方向８７に関して終端を提供する。外側端部１３２は開いていることができ、さらに電気コネクタ５６が第１のプリント配線回路用基板５２にマウントされるとともに、チャネル１１２および１１３が第１のプリント配線回路用基板５２を受けるときに、リーディングエッジ９０で第１のプリント配線回路用基板５２を例えば受けるように構成され、それは、チャネル１１２および１１３が第１のプリント配線回路用基板５２の対向側面５１および５３を捕捉するほどである。外側端部１３２は、リーディングエッジ９０がチャネル１１２および１１３内に挿入されながら狭まるように、傾斜することができる。内側端部１３４は、電気コネクタ５６における第１のプリント配線回路用基板５２の挿入深さを制限するように、そのリーディングエッジ９０に当接するように構成される停止表面を画定することができる。
【００４４】
したがって、チャネル１１２および１１３のそれぞれは、それぞれ、第１の、または、長手方向外側端部１３２と長手方向内側端部１３４との間の挿入方向８７と平行な長手方向挿入深さを画定することができる。ハウジング本体５９の後部端６８は、さらに電気コネクタ５６内への第１のプリント配線回路用基板の挿入深さを制限する停止を提供するように、第１のプリント配線回路用基板のリーディングエッジ９０に当接することができる。さらに、チャネル１１２および１１３のそれぞれは、第２の、または、それぞれの横方向内側端部１２６からそれぞれの横方向外側面１２４に横方向に測定されるような横方向外側の挿入深さＤを画定する。チャネル１１２および１１３のそれぞれは、さらに第３の、または、上部の内表面１２０と低部の内表面１２２との間で横方向に測定されるような横方向深さＤ１を画定する。
【００４５】
横方向の深さＤ１は、ギャップ９５の第１の厚さＴ１より大きくなり得る。
【００４６】
さらに、横方向の厚さＴ１を画定する電気コンタクト６０の第１および第２列のマウンティング端８２は、内方に、上部および低部内表面１２０および１２２に関してオフセットすることができる。
【００４７】
操作中に、電気コネクタ５６が第１のプリント配線回路用基板５２にマウントされるときに、第１および第２のチャネル１１２および１１３のような少なくとも第１のチャネルは、第１および第２のサイド５１のような、それぞれ少なくともプリント配線回路用基板５２の１側面を受け、そして、そのような、第１のプリント配線回路用基板５２、例えばサイド５１および５３で、チャネル１１２および１１３内に  縦方向の挿入深さとほぼ等しい量、長手方向に延びる。リーディングエッジ９０が内側端部１３４および／またはハウジング本体５９の後部端６８に当接するまで、第１のプリント配線回路用基板５２は、チャネル１１２および１１３で例えば完全に受けられる。さらに、チャネル１１２および１１３のような少なくとも１つのチャネルは、第１のプリント配線回路用基板５２の、第１および第２のサイド５１および５３のような少なくとも１側面を受け、例えば、第１のプリント配線回路用基板５２が、サイド５１および５３でチャネル１１２および１１３に横方向外側内に横方向挿入深さＤとほぼ等しい量、横方向に延びるようなものである。電気コネクタ５６が、例えばそれぞれのマウンティング端８２で第１のプリント配線回路用基板にマウントされるとともに、電気コンタクト６０の突起９４が第１のプリント配線回路用基板５２に跨り、電気コンタクト６０の第１列の各々が、第１のプリント配線回路用基板の上部表面９６の電気コンタクトパッド８６と接触し、さらに電気コンタクト６０の第２列の各々が、第１のプリント配線回路用基板５２の低部表面９８の電気パッド８６と接触するようなものである。ギャップ９５の第１の厚さＴ１は、ギャップ９５内に第１のプリント配線回路用基板５２を挿入する以前の、第１のプリント配線回路用基板５２の第２の厚さＴ２未満か、または、ほぼ等しい（しかしより大きくはない）。したがって、リーディングエッジ９０は、ギャップ９５内に受けられるとともに、第１のプリント配線回路用基板５２は、マウンティング端部８２を相互から離れてそれさせることができる。
【００４８】
ハウジング本体５９は、第１および第２のサイド壁７０および７１の横方向外側面１２４間で画定されるような第１の横方向外側の寸法、または幅Ｗ１を画定することは、したがって認識されるべきである。さらに、第１のプリント配線回路用基板５２は、サイド５１と５３の間の横方向外側の次寸法、または幅Ｗ２を画定する。それは、第１の幅Ｗ１が、第２の幅Ｗ２とほぼ等しい（例えば、等しいか、または、わずかに大きい）ほどのものである。さらに、第１のプリント配線回路用基板５２は、第２の厚さＴ２として例証されて、厚さを画定し、それは上部および低部表面９６および９８の間の横方向の厚さであり得る第３の横方向の深さＤ３が第２の厚さＴ２とほぼ等しい（例えば、等しいか、または、わずかに大きい）ようなものである。したがって、第１および第２のサイド壁７０および７１は、チャネル１１２および１１３の第１のプリント配線回路用基板５２のサイド５１および５３を捕捉するように構成され、それは、それぞれの第１および第２のサイド壁７０および７１が、第１および第２のサイド壁７０および７１が、プリント配線回路用基板の受信サイドに第１のプリント配線回路用基板５２のそれぞれのサイド５１および５３との機械的な連携（例えば直接接触において）にあるとともに、電気コネクタ５６を第２の回路基板５４に結合するときに生成することができる不良位置合せ力の少なくとも一部分が、コネクタハウジング５８から伝達される。例えば、横方向の不良位置合せ力の少なくとも一部分は、伝達することができる、第１の横方向外部、または上部表面１２０から第１のプリント配線回路用基板５２の上部表面９６に対して、および／または、第２の横方向外部、または低部部分１２２から電気コンタクトパッド８６から離間して配置された位置での第１のプリント配線回路用基板５２の低部表面９８に対して、伝達することができる。少なくとも横方向外側の不良位置合せ力は、第１のプリント配線回路用基板５２のそれぞれのサイド５１または５３の第３の横方向外側面１２４の少なくとも一方または両方から伝達することができる。認められるべきことは、それぞれのサイド壁７０および７１から、第１のプリント配線回路用基板５２に対して伝達される不良位置合せ力が、電気コンタクト６０と電気コンタクトパッド８６間の接続を回避することである。
【００４９】
外側面１２４および内側端部１３４、および／または、ハウジング本体５９の後部端６８は、電気コンタクトパッド８６が、第１のプリント配線回路用基板５２がチャネル１１２および１１３内に完全に受けられるときに、電気コンタクト６０に対して物理的、および電気的に接続されるようになるように位置することができる。さらに、ハウジング本体５９の第１の幅Ｗ１が第１のプリント配線回路用基板５２の幅Ｗ２とほぼ等しいので、さらにチャネル１１２および１１３の横方向深さＤ１が第１のプリント配線回路用基板５２の第２の厚さＴ２とほぼ等しいので、第１のプリント配線回路用基板５２は、チャネル１１２および１１３のように、少なくとも１つのチャネルで捕捉される。それは、第２のプリント配線回路用基板５４と電気コネクタ５６との間の不良位置合せによって、コネクタ５６に加えられた力の少なくとも一部分が、電気コネクタ５６を第２のプリント配線回路用基板５４に結合するときに、今度は、受けられた第１のプリント配線回路用基板５２に加えられ、それによって、電気コンタクト６０と第１のプリント配線回路用基板５２との間の接続からの力の部分を分離するようになるほどである。電気コネクタ５６は、第１のプリント配線回路用基板５２によって伸びる機械的なファスナの使用のない第１のプリント配線回路用基板５２にマウントすることができる。したがって、電気コネクタアセンブリー５０が、電気コネクタ第１のプリント配線回路用基板５２への５６をマウントするように第１のプリント配線回路用基板５２によって伸びる機械的なファスナが欠けているかもしれないことは前記かもしれない。
【００５０】
プリント配線回路用基板に対してカードエッジコネクタをマウントするか、またはそのマウントを教示する方法は、A）リーディングエッジ、対向側面、および電気コンタクトパッドを有する、第１のプリント配線回路用基板の提供、または使用を教示すること、B）1）ハウジング本体であって、このハウジング本体は第１および第２のサイド壁を画定し、2）第１および第２のサイド壁間に配列される複数の電気コンタクトを伴なうコネクタハウジングを有する電気コネクタを提供する、ステップを有することができる。それぞれの電気コンタクトマウンティング端部は、第１のプリント配線回路用基板にまたがるように構成される対向する突起を有し、さらに電気的、物理的に電気コンタクトパッドのそれぞれのもので第１のプリント配線回路用基板、および電気コネクタが第１および第２のチャネル内に第１のプリント配線回路用基板を挿入し、各々の第２のプリント配線回路用基板に結合するときに、第２のプリント配線回路用基板に電気的に接続されるように構成された、対向する結合する端部に取り付けられており、電気コネクタが第２のプリント配線回路用基板と結合するとともに、第２のプリント配線回路用基板が電気コネクタと誤って調整されるときに、生成される力の少なくとも一部分が、接続位置から間隔をもって配置された位置で、コネクタハウジングから挿入されたプリント配線回路用基板まで伝えられるような結合位置での電気コンタクトパッドのそれぞれのものに複数の電気コンタクトを接続するステップを教示する。
【００５１】
例証された実施例に関して記述された実施例は、実例経由で開示され、そして、したがって、この発明は、開示された実施例に限定されるようには意図されていない。さらに、それぞれの上述された実施例の構造および特徴は、もし他の方法で示されなかったならば、ここに記述された他の実施例に適用することができる。したがって、技術に熟練している人々は、例えばこの発明が付随した請求項によって述べられるように、この発明の精神および範囲内に含まれる修正および代替準備をすべて包含するように意図されることを理解するであろう。
【図１】
0003174375.tif 000003
【図２Ａ】
0003174375.tif 000004
【図２Ｂ】
0003174375.tif 000005
【図３】
0003174375.tif 000006
【図４】
0003174375.tif 000007
【図５】
0003174375.tif 000008
【図６】
0003174375.tif 000009
【図７】
0003174375.tif 000010
【図８】
0003174375.tif 000011
【図９Ａ】
0003174375.tif 000012
【図９Ｂ】
0003174375.tif 000013
【図１０Ａ】
0003174375.tif 000014
【図１０Ｂ】
0003174375.tif 000015
【図１０Ｃ】
0003174375.tif 000016
【図１０Ｄ】
0003174375.tif 000017
【図１１Ａ】
0003174375.tif 000018
【図１１Ｂ】
0003174375.tif 000019
【図１１Ｃ】
0003174375.tif 000020
【図１１Ｄ】
0003174375.tif 000021
【手続補正書】
【提出日】平成23年9月28日(2011.9.28)
【手続補正１】
【補正対象書類名】実用新案登録請求の範囲
【補正対象項目名】全文
【補正方法】変更
【補正の内容】
【実用新案登録請求の範囲】
【請求項１】
カードエッジコネクタの挿入の方向に沿った第１のプリント配線回路用基板にマウントされるように構成されたカードエッジコネクタであって、
前記カードエッジコネクタは下記を有する：
コネクタハウジングであって、第１および第２のサイド壁を画定し、第１および第２のサイド壁間で配列される複数の電気コンタクトを伴なうハウジング本体を有し、前記電気コンタクトは、それぞれの結合位置で第１のプリント配線回路用基板と接触するように構成されたそれぞれのマウンティング端、および、電気コネクタが第２のプリント配線回路用基板と結合するときに第２のプリント配線回路用基板に電気的に接続されるように構成された対向したそれぞれの結合する端、を画定し、前記電気コンタクトは、第１と第２列において配列され、第１および第２列のマウンティング端間のギャップを画定し、そのギャップは、第１のプリント配線回路用基板の厚さ未満であり、電気コネクタが第１のプリント配線回路用基板にマウントされるときに、前記電気コンタクトが第１のプリント配線回路用基板に跨がるようなものであるコネクタハウジング；
および、それぞれ、少なくとも１つの第１および第２のサイド壁の少なくとも一方によって伴なわれる少なくとも１つのマウンティングガイドであって、第１のプリント配線回路用基板の一側を摺動可能に受けるように構成された少なくとも１つのマウンティングガイドが前記カードエッジコネクタとして、挿入の方向に沿った第１のプリント配線回路用基板にマウントされるマウンティングガイド。
【請求項２】
前記電気コネクタが第２のプリント配線回路用基板と結合するとともに、第２のプリント配線回路用基板が電気コネクタで整列されていないときに、生成される力の少なくとも１つの部分が、伝達され、結合位置から間隔をおいて配置された位置でのプリント配線回路用基板の受ける側へのコネクタハウジングを有する請求項１記載のカードエッジコネクタ。
【請求項３】
少なくとも１つのマウンティングガイドは、カードエッジコネクタが第１のプリント配線回路用基板にマウントされるとともに、第１のプリント配線回路用基板を受けるチャネルを有する請求項１記載のカードエッジコネクタ。
【請求項４】
前記電気コンタクトの第１および第２列のマウンティング端は、チャネルを画定する上部で、より低い内表面に関して内方に間隔を置かれる請求項３記載のカードエッジコネクタ。
【請求項５】
前記第１のプリント配線回路用基板は、厚さをその間に画定する対向する上部で、より低い表面を画定し、さらに、少なくとも１つのチャネルは厚さとほぼ等しい深さとを画定する請求項１記載のカードエッジコネクタ。
【請求項６】
少なくとも１つのマウンティングガイドは、第１のサイド壁によって伴なわれ、さらに前記カードエッジコネクタが第１のプリント配線回路用基板にマウントされるときに、第１のプリント配線回路用基板の第１の側を受けるように構成され、前記カードエッジコネクタは、さらにそのカードエッジコネクタが第１のプリント回路基板にマウントされるときに、第１のプリント配線回路用基板の第２の側を受けるように構成された、少なくとも１つのマウンティングガイド）によって伴なわれた、第２のサイド壁によって伴なわれる第２のマウンティングを有するガイドマウンティングガイドをさらに有する第１のマウンティングガイドである、請求項１記載のカードエッジコネクタ。  
【請求項７】
第１および第２のマウンティングガイドは、  第１にそれぞれ、また、カードエッジコネクタが第１のプリント配線回路用基板にマウントされるとともに、受ける第２のチャネルは第１のプリント配線回路用基板に、第１および第２側にそれぞれ対向した請求項記載のカードエッジコネクタ。
【請求項８】
ハウジング本体は、第１および第２チャネル間の第１の幅を画定し、  第１のプリント配線回路用基板は、第１と第２側の間の第２の幅を画定する、  また、  第１の幅は第２の幅とほぼ等しい請求項７記載のカードエッジコネクタ。
【請求項９】
チャネル間にさらに延びる直線が、前記電気コンタクトの少なくとも１つと交差する請求項７記載のカードエッジコネクタ。
【請求項１０】
チャネルの各々は、コネクタハウジングの上部で、より低い端に関してほぼ対称である請求項７記載のカードエッジコネクタ。
【請求項１１】
複数の前記電気コンタクトは、第１および第２のサイド壁間で配置される請求項１記載のカードエッジコネクタ。
【請求項１２】
複数の前記電気コンタクトは電気信号コンタクトに複数を有し、前記電力コンタクトに複数を有する請求項１記載のカードエッジコネクタ。
【請求項１３】
前記電気信号は各々と連絡をとり、電力コンタクトのそれ未満の厚さを有する請求項１２記載のカードエッジコネクタ。
【請求項１４】
複数の前記電気コンタクト、複数電力コンタクトを有し、かつ１つ電気信号コンタクトが欠けている請求項１記載のカードエッジコネクタ。
【請求項１５】
カードエッジコネクタの挿入方向に沿った第１のプリント配線回路用基板にマウントするように構成されたカードエッジコネクタであって、
前記カードエッジコネクタは、下記を有する：
第１および第２のサイド壁を画定し、第１および第２のサイド壁間に配列される複数の電気コンタクトを有し、この電気コンタクトは、第１のプリント配線回路用基板を跨いで、電気的に、および物理的に、それぞれの接続位置で第１のプリント配線回路用基板に取付けるように構成される対向した突起を有するそれぞれのマウンティング端部を画定するものを有するハウジング本体を有するコネクタハウジングと、前記電気コネクタが第２のプリント配線回路用基板に結合されるときに、この第２のプリント配線回路用基板に電気的に接続されるように構成される対向した結合する端部とを有し、
前記第１および第２のサイド壁は、この第１および第２のサイド壁がそれぞれの第１および第２のチャネルにおける第１のプリント配線回路用基板の対向側面を捕らえるように、第１プリント配線回路用基板のリーディングエッジを前記第１プリント配線回路用基板と結合するように受入れる開放端を有するそれぞれの第１および第２のチャネルを画定するものである。
【請求項１６】
そこでは第１のプリント配線回路用基板は、厚さをその間に定義する対向した上部で、より低い表面を画定し、また、少なくとも１つのチャネルは厚さとほぼ等しい深さを画定する請求項１５記載のカードエッジコネクタ。
【請求項１７】
複数の前記電気コンタクトは電気信号コンタクトに複数を有し、電力コンタクトに複数を有する請求項１５記載のカードエッジコネクタ。
【請求項１８】
複数の前記電気コンタクト、複数の電力コンタクト、また１つの電気信号コンタクトが欠けている請求項１５記載のカードエッジコネクタ。
【手続補正２】
【補正対象書類名】明細書
【補正対象項目名】０００３
【補正方法】変更
【補正の内容】
【０００３】
図１を参照して、例えば、一例の従来の電気組立体２０は、第１の回路基板２４と第２の回路基板２６との間を接続しているカードエッジコネクタ２２を有する。カードエッジコネクタ２２は、第１のプリント配線回路用基板２４のエッジのトレースと第２のプリント配線回路用基板２６のエッジのトレースとの間の電気導通通路を備える跨ぐマウントスタイルのカードエッジコネクタとして例証され、これは第１のプリント配線回路用基板２４を備えたコプラナであるように例証される。そのような配位は、１Ｕラックマウントサーバのようなエンクロージャ内に電気組立体用に好適であることができる。カードエッジコネクタ２２は、複数の電気コンタクト３０を伴なうハウジング本体２９を有するコネクタハウジング２８を有し、それは電気信号コンタクト３２と電力コンタクト３４とを有することができる。
【手続補正３】
【補正対象書類名】明細書
【補正対象項目名】０００９
【補正方法】変更
【補正の内容】
【０００９】
この電気コンタクトは、電気的にそれぞれの結合位置で第１のプリント配線回路用基板に接続されるように構成されたそれぞれの取付端部、および、電気コネクタが第２のプリント配線回路用基板に結合するときに、第２のプリント配線回路用基板に電気的に接続されるように構成された、対向するそれぞれの結合する端部を画定する。カードエッジコネクタは、さらに、それぞれ、第１および第２のサイド壁の少なくとも１つによって伴なわれる少なくとも１つのマウンティングガイドを有する。少なくとも１つのマウンティングガイドは、カードエッジコネクタが、挿入の方向に沿った第１のプリント配線回路用基板にマウントされるとともに、第１のプリント配線回路用基板の側を摺動可能に受けるように構成することができる。電気コネクタは第２のプリント配線回路用基板と結合するとともに、第２のプリント配線回路用基板が電気コネクタと整列されていないときには、生成される力の少なくとも一部分が、結合位置から間隔をもって配置された位置で、コネクタハウジングからプリント配線回路用基板の受ける側まで伝えられる。
【手続補正４】
【補正対象書類名】明細書
【補正対象項目名】００１５
【補正方法】変更
【補正の内容】
【００１５】
図２Ａ−Ｂにおいて例証されるように、電気コネクタ５６の第１のプリント配線回路用基板５２、１対の対向側面５１および５３の頂面９６および対向する底部表面９８にマウントするときに、第１のプリント配線回路用基板５２は、挿入の方向８７に関してリーディングエッジ９０を画定する。電気コネクタ５６が第１のプリント配線回路用基板５２にマウントされるときに、頂面９６は、横断方向Ｔに沿って底部頂面９８から間隔をもって配置される。さらに、サイド側５１および５３は、横方向Ａに沿って間隔をもって配置される。頂部および底部表面９６および９８は、長手方向および横方向によって画定された平面に沿ってほぼ、例えば平面であることができる。したがって、電気コネクタ５６に結合するときに、頂部および底部表面９６および９８は、横方向Ａおよび長手方向Ｌの両方に沿って延びることができる。第２のプリント配線回路用基板５４は、同様に電気コネクタ５６と結合するように挿入の方向に関してリーディングエッジ９１を画定する。
【手続補正５】
【補正対象書類名】明細書
【補正対象項目名】００１６
【補正方法】変更
【補正の内容】
【００１６】
図３−５を参照して、コネクタハウジング５８は、ハウジング本体５９によって画定されるチャンバ７６を有する。電気コンタクト６０は、その電気コンタクト６０がチャンバ７６内に少なくとも部分的に配置されるように、ハウジング５８によって伴なわれる。このチャンバ７６は、結合するインターフェース６４に対して開放することができ、電気コネクタ５６を第２のプリント配線回路用基板５４に対して結合するように、第２のプリント配線回路用基板５４を受けるように構成することができる。チャンバ７６は、開放され、またはマウンティングインターフェース６２に対しては閉じることができる。例えば、ハウジング本体５９は、マウンティングインターフェース６２で部分的にチャンバ７６を閉じる後部壁７８を有することができる。ハウジング本体５９は、後部壁７８を通って延びる複数の開口８０を画定することができ、それは、電気コンタクト６０が、開口８０のそれぞれのものを介して延びるようなものである。
【手続補正６】
【補正対象書類名】明細書
【補正対象項目名】００１７
【補正方法】変更
【補正の内容】
【００１７】
電気コンタクト６０は、銅合金のような、望ましくは任意の適切な電気導電材料で作ることができる。電気コンタクト６０は、第１および第２の基板５２および５４の間の電気通信またはデータ信号を送信するために寸法取りされ、かつ構成される複数の電気信号コンタクト６１、さらに第１および第２の基板５２および５４の間で、ＤＣ、およびまたはＡＣ交流電源のような送信電力に寸法取りされ構成される複数の電力コンタクト６３を有することができる。したがって、電力コンタクト６３は、電気信号コンタクト６１より大きく、ＤＣおよび／または交流電源を支持するように、寸法取りすることができる。例えば、電力コンタクト６３は、電気信号コンタクト６１より大きな厚さ（例えば、１方、または横方向および縦方向の両方向に）を有することができる。図示された実施例にしたがって、電気コンタクト６０は、電気信号コンタクト６１が横方向に電力コンタクト６３に隣接して配置されるように配列することができる。例えば、電気信号コンタクト６１は、例証されるような第１のサイド壁７０のようなハウジング本体５９のサイド壁の１つに近傍に配置することができる。電気信号コンタクト６１の個々のものは、電気信号コンタクト６１が、第１のサイド壁７０から第２のサイド壁７１に向かって横方向に内部に配列されるように、横方向に間隔を置くことができる。電力コンタクト６３は、電気信号コンタクト６１に隣接するサイド壁に関して、サイド壁の対向する１つに隣接して配置することができる。例証された実施例にしたがって、電力コンタクト６３は、第２のサイド壁７１に隣接して、配置される。電力コンタクト６３の個々のものは、電力コンタクト６３が第１のサイド壁７０に向かって第２のサイド壁７１から内部に横方向に配列されるように、横方向に間隔を置くことができる。あるいは、図１１Ａ−Ｄにおいて例証されるように、電気コネクタ５６は、電気コンタクト６０が電気信号コンタクトを欠いていて、このように電力コンタクト６３だけを有しているように構築することができる。この電力コンタクトは、第１および第２のサイド壁７０および７１の間に配列することができる。したがって、ここではこの電気コンタクト６０に対する参照は、図１−９において例証されるように電気信号コンタクト６１および電力コンタクトの両方か、または、図１１Ａ−Ｄにおいて例証されるような電力コンタクト６３だけを有することができるかである。
【手続補正７】
【補正対象書類名】明細書
【補正対象項目名】００２４
【補正方法】変更
【補正の内容】
【００２４】
図４において例証されるように、それぞれのマウンティング端部８２は、第１列のマウンティング端部８２と第２列のマウンティング端部８２とが、それぞれギャップ９５をその間に画定するように、それぞれのマウンティング端部８２を画定する対向する突起９４を有することができ、この突起９４は、さらに、電気コネクタ５６を第１のプリント配線回路用基板５２にマウントするときに、案内を提供することができるひだ付きの末端を表している。    
【手続補正８】
【補正対象書類名】明細書
【補正対象項目名】００２５
【補正方法】変更
【補正の内容】
【００２５】
対向する突起９４は、上部および下部列のような、電気コネクタ５６が第１のプリント配線回路用基板にマウントされるときに、第１のプリント配線回路用基板に跨るように構成されており、第１および第２列内に配列することができる。ギャップ９５は、第１の厚さＴ１として例証され、第１のプリント配線回路用基板５２のそれぞれ頂面および底面９６および９８の電気コンタクトパッド８６と接触するように構成されるマウンティング端部８２の間の横断距離であることができる厚さを画定する。
【手続補正９】
【補正対象書類名】明細書
【補正対象項目名】００３５
【補正方法】変更
【補正の内容】
【００３５】
認識されるべきであることは、第２のプリント配線回路用基板５４を電気コネクタ５６に結合するときは、この第２のプリント配線回路用基板５４のリーディングエッジ９１とハウジング本体５９のチャンバ７６との間の角度または指向性の不良位置合せが、電気コンタクト６０に応力を加えることができるときに、それは、次には電気コンタクト６０と第１のプリント配線回路用基板５２の電気パッド８６との間の半田接続に応力を加えることである。例えば、第２のプリント配線回路用基板５４がチャンバ７６に挿入されるとともに、第２のプリント配線回路用基板５４がコネクタハウジング５８と整列されていないときに、挿入力は、電気コンタクト６０、およびしたがって第１のプリント配線回路用基板５２のコンタクトパッド８６に電気コンタクト６０を取り付ける半田接続に変換することができる。
【手続補正１０】
【補正対象書類名】明細書
【補正対象項目名】００３８
【補正方法】変更
【補正の内容】
【００３８】
さらに今度は、図２Ａ−４および図６を参照して、コネクタハウジング５８が、図１に関して上述したタイプのマウンティング耳部が欠けていることができて、電気コネクタ５６が第２のプリント配線回路用基板５４に結合するとともに、第２のプリント配線回路用基板５４がハウジング本体５９と整列されていないときに、例えば、電気コンタクト６０によって経験された応力を制限するように構成することができることは認識される。したがって、第１のプリント配線回路用基板５２が、この第１のプリント配線回路用基板５２を電気コネクタ５６に固定するようにファスナを受けるように構成される開口が欠けていることがあり得ることは、認識されるべきである。１つの実施例にしたがって、電気信号コンタクト６１が電力コンタクト６３よりも薄いので、従来の跨ぐマウントコネクタの結合する応力は、さらに、第１のプリント配線回路用基板５２のうちの電力コンタクト６３と電気コンタクトパッド８６との間の半田接続と比較して、第１のプリント配線回路基板５２のうちの電気信号コンタクト６１と電気コンタクトパッド８６との間の半田接続の完全性に影響する可能性がありそうである。電気コネクタ５６は、マウンティング耳部が欠けていることがあり得、同時に、合格水準、すなわち第１のプリント配線回路用基板５２のうちの電気コンタクト６０と電気コンタクトパッド８６との間の半田接続の失敗を引き起こさないレベル内に不良位置合せ応力を制限し得る。
【手続補正１１】
【補正対象書類名】明細書
【補正対象項目名】００３９
【補正方法】変更
【補正の内容】
【００３９】
例証される実施例にしたがって、電気コネクタ５６のコネクタハウジング５８は、マウンティング耳部が欠けていて、その代り、電気コネクタ５６が、第１のプリント配線回路用基板５２にマウントされるときに、第１のプリント配線回路用基板５２を摺動できるように係合する１対のマウンティングガイド１１０のような少なくとも１つのマウンティングガイドを有している。マウンティングガイド１１０は、第１および第２のサイド壁７０および７１のような、それぞれ少なくとも１つのコネクタ本体５９のサイド壁によって、伴なわれることができる。第１および第２のマウンティングガイド１１０は、対応するサイド壁７０および７１によって伴なわれるそれぞれ第１および第２の横方向に対向するチャネル１１２および１１３によって画定することができる。例えば、第１および第２のサイド壁７０および７１は、横方向にそれぞれ、相互に対面する内表面１１４、および、それぞれの内表面１１４から離れて面する外表面１１６を画定する。１つの実施例にしたがって、一方、または、第１および第２のチャネル１１２および１１３の両方は、それぞれのサイド壁７０および７１によって画定され、内表面１１４および１１６内に横方向に外へ延びることができる。
【手続補正１２】
【補正対象書類名】明細書
【補正対象項目名】００４３
【補正方法】変更
【補正の内容】
【００４３】
チャネル１１２および１１３は、横方向に相互に整列され、さらに電気コンタクトの突起９４間のギャップ９５と整列される。したがって、横方向に延びるラインのような、ギャップ９５を通して延びる直線は、さらにチャネル１１２および１１３内に延びることができる。さらに、横方向に延びるラインのような、チャネル１１２および１１３内に延びる直線は、電気コンタクトの第１および第２列の一方または両方の、電気コンタクト６０、例えば突起９４のすべてまでの少なくとも１つと交差することができる。例えば、１つの実施例にしたがって、電気コンタクト６０の上部および下部列の各々は、少なくともチャネル１１２および１１３を画定する、それぞれの上部および下部表面１２０および１２２によって画定される平面と交差するように、横断方向に沿って延びる。別の方法で述べると、チャネル１１２および１１３のうちの一方の上部の内表面１２０から、チャネル１１２および１１３の他方の上部の内表面１２０まで延びる直線は、電気コンタクト６０の第１列の電気コンタクト６０に、すべてまで、少なくとも１つと交差することができる。同様に、チャネル１１２および１１３のうちの１つのより低い内表面１２２から、チャネル１１２および１１３の他方のより低い内表面１２２まで延びる直線は、電気コンタクト６０の第２列の電気コンタクト６０の、すべてにまで、少なくともいくらか交差することができる。さらに、第１および第２のチャネル１１２および１１３は、中途部分１０５、または、電気的コネクタ５６の整列ガイド、と整列することができ、それは、第１のプリント配線回路用基板５２がチャネル１１２および１１３内に挿入されることができ、それは、第１のプリント配線回路用基板５２のリーディングエッジ９０をして、電気コンタクト６０のギャップ９５に挿入されるべきであるほどである。  チャネル１１２および１１３は、それぞれさらに１つの、縦方向に電気コネクタ５６を第１のプリント配線回路用基板５２にマウントするときには、挿入の方向８７に関してリーディング端を提供する長手方向に外側端部１３２を有することができる。チャネル１１２および１１３は、さらにそれぞれ、外側端部１３２の長手方向に対向して長手方向内側端１３４を有し、さらに挿入の方向８７に関して終端を提供する。外側端部１３２は開いていることができ、さらに電気コネクタ５６が第１のプリント配線回路用基板５２にマウントされるとともに、チャネル１１２および１１３が第１のプリント配線回路用基板５２を受けるときに、リーディングエッジ９０で第１のプリント配線回路用基板５２を例えば受けるように構成され、それは、チャネル１１２および１１３が第１のプリント配線回路用基板５２の対向側面５１および５３を捕捉するほどである。外側端部１３２は、リーディングエッジ９０がチャネル１１２および１１３内に挿入されながら狭まるように、傾斜することができる。内側端部１３４は、電気コネクタ５６における第１のプリント配線回路用基板５２の挿入深さを制限するように、そのリーディングエッジ９０に当接するように構成される停止表面を画定することができる。
【手続補正１３】
【補正対象書類名】明細書
【補正対象項目名】００４９
【補正方法】変更
【補正の内容】
【００４９】
外側面１２４および内側端部１３４、および／または、ハウジング本体５９の後部端６８は、電気コンタクトパッド８６が、第１のプリント配線回路用基板５２がチャネル１１２および１１３内に完全に受けられるときに、電気コンタクト６０に対して物理的、および電気的に接続されるようになるように位置することができる。さらに、ハウジング本体５９の第１の幅Ｗ１が第１のプリント配線回路用基板５２の幅Ｗ２とほぼ等しいので、さらにチャネル１１２および１１３の横方向深さＤ１が第１のプリント配線回路用基板５２の第２の厚さＴ２とほぼ等しいので、第１のプリント配線回路用基板５２は、チャネル１１２および１１３のように、少なくとも１つのチャネルで捕捉される。それは、第２のプリント配線回路用基板５４と電気コネクタ５６との間の不良位置合せによって、コネクタ５６に加えられた力の少なくとも一部分が、電気コネクタ５６を第２のプリント配線回路用基板５４に結合するときに、今度は、受けられた第１のプリント配線回路用基板５２に加えられ、それによって、電気コンタクト６０と第１のプリント配線回路用基板５２との間の接続からの力の部分を分離するようになるほどである。電気コネクタ５６は、第１のプリント配線回路用基板５２によって伸びる機械的なファスナの使用のない第１のプリント配線回路用基板５２にマウントすることができる。したがって、電気コネクタ組立体５０が、電気コネクタ５６を第１のプリント配線回路用基板５２へマウントするように第１のプリント配線回路用基板５２によって延びる機械的なファスナが欠けているということができる。
【手続補正１４】
【補正対象書類名】明細書
【補正対象項目名】００５０
【補正方法】変更
【補正の内容】
【００５０】
プリント配線回路用基板に対してカードエッジコネクタをマウントするか、またはそのマウントを教示する方法は、A）リーディングエッジ、対向側面、および電気コンタクトパッドを有する、第１のプリント配線回路用基板の提供、または使用を教示すること、B）1）ハウジング本体であって、このハウジング本体は第１および第２のサイド壁を画定し、2）第１および第２のサイド壁間に配列される複数の電気コンタクトを伴なうコネクタハウジングを有する電気コネクタを提供する、ステップを有することができる。それぞれの電気コンタクトマウンティング端部は、第１のプリント配線回路用基板にまたがるように構成される対向する突起を有し、さらに電気的、物理的に電気コンタクトパッドのそれぞれのもので第１のプリント配線回路用基板、および電気コネクタが第１および第２のチャネル内に第１のプリント配線回路用基板を挿入し、各々の第２のプリント配線回路用基板に結合するときに、第２のプリント配線回路用基板に電気的に接続されるように構成された、対向する結合する端部に取り付けられており、電気コネクタが第２のプリント配線回路用基板と結合するとともに、第２のプリント配線回路用基板が電気コネクタと整列されていないときに、生成される力の少なくとも一部分が、接続位置から間隔をもって配置された位置で、コネクタハウジングから挿入されたプリント配線回路用基板まで伝えられるような結合位置での電気コンタクトパッドのそれぞれのものに複数の電気コンタクトを接続するステップを教示する。
【手続補正１５】
【補正対象書類名】図面
【補正対象項目名】図１
【補正方法】変更
【補正の内容】
【図１】
0003174375.tif 000022
【手続補正１６】
【補正対象書類名】図面
【補正対象項目名】図２Ｂ
【補正方法】変更
【補正の内容】
【図２Ｂ】
0003174375.tif 000023
【手続補正書】
【提出日】平成24年1月13日(2012.1.13)
【手続補正１】
【補正対象書類名】実用新案登録請求の範囲
【補正対象項目名】請求項７
【補正方法】変更
【補正の内容】
【請求項７】
第１および第２のマウンティングガイドは、カードエッジコネクタが第１のプリント配線回路用基板にマウントされるとともに、第１のプリント配線回路用基板の、対向した第１および第２側をそれぞれ受ける、それぞれの第１および第２のチャネルを有する請求項６記載のカードエッジコネクタ。